(57)【要約】      （修正有）【課題】費電力を低減させることができる生体情報測定装置及び生体情報測定システムを提供する。【解決手段】生体情報測定装置１０は、タイマ部１２と、外部機器と通信可能な通信部１５と、被検者の生体情報を測定する測定部１１と、制御部１７とを有する。制御部１７は、遅くとも測定部１１による生体情報の測定を終了するときまでにタイマ部１２の電源をオン状態にする。制御部１７は、生体情報の測定が終了するときから外部機器と通信するときまでの第１計時値をタイマ部１２から取得する。制御部１７は、当該生体情報と併せて当該第１計時値を外部機器に送信する。さらに、制御部１７は、タイマ部１２の計時値が所定時間以上になるとタイマ部１２の電源をオフ状態にする。【選択図】図２
2019170718.tif 000002
【特許請求の範囲】
【請求項１】
タイマ部と、
外部機器と通信可能な通信部と、
被検者の生体情報を測定する測定部と、
遅くとも前記測定部による生体情報の測定を終了するときまでに前記タイマ部の電源をオン状態にして、前記生体情報の測定が終了するときから前記外部機器と通信するときまでの第１計時値を前記タイマ部から取得し、当該生体情報と併せて当該第１計時値を前記外部機器に送信し、さらに前記タイマ部の計時値が所定時間以上になると前記タイマ部の電源をオフ状態にする制御部と、を有する、生体情報測定装置。
【請求項２】
前記制御部は、前記タイマ部の計時値が前記所定時間としての時間閾値を経過する前に、前記測定部による生体情報の測定を再び開始するとき、前記タイマ部の電源をオン状態に維持する、請求項１に記載の生体情報測定装置。
【請求項３】
前記制御部は、前記タイマ部の計時値が前記時間閾値を経過する前に、前記測定部による生体情報の測定を再び開始するとき、前記タイマ部の計時値をリセットする、請求項２に記載の生体情報測定装置。
【請求項４】
前記制御部は、前記タイマ部の計時値が前記所定時間としての設定時間以上になると、前記タイマ部の電源をオフ状態にする、請求項１乃至３の何れか一項に記載の生体情報測定装置。
【請求項５】
前記制御部は、前記第１計時値の代わりに、前記タイマ部が計時を開始してから前記生体情報の測定が終了するときまでの第２計時値と、前記タイマ部が計時を開始してから前記外部機器と通信するときまでの第３計時値とを、前記通信部によって前記外部機器に送信する、請求項４に記載の生体情報測定装置。
【請求項６】
前記生体情報測定装置に前記設定時間が設定されているか否かを示すフラグを格納する記憶部をさらに有し、
前記制御部は、前記通信部によって前記外部機器から前記設定時間を受信すると、前記記憶部に格納されたフラグを、前記生体情報測定装置に前記設定時間が設定されていることを示すフラグに変更する、請求項４又は５に記載の生体情報測定装置。
【請求項７】
前記制御部は、前記タイマ部の電源をオン状態からオフ状態にすると、前記記憶部に格納されたフラグを、前記生体情報測定装置に前記設定時間が設定されていないことを示すフラグに変更する、請求項６に記載の生体情報測定装置。
【請求項８】
生体情報測定装置及び制御装置を備える生体情報測定システムであって、
前記生体情報測定装置は、
タイマ部と、
前記制御装置と通信可能な第１通信部と、
被検者の生体情報を測定する測定部と、
遅くとも前記測定部による生体情報の測定を終了するときまでに前記タイマ部の電源をオン状態にして、前記生体情報の測定が終了するときから前記制御装置と通信するときまでの第１計時値を前記タイマ部から取得し、当該生体情報と併せて当該第１計時値を前記制御装置に送信し、さらに前記タイマ部の計時値が所定時間以上になると前記タイマ部の電源をオフ状態にする第１制御部と、を有し、
前記制御装置は、
時計部と、
前記生体情報測定装置と通信可能な第２通信部と、
前記生体情報測定装置と通信するときの通信日時を前記時計部から取得し、前記第２通信部によって前記生体情報測定装置から前記第１計時値及び前記生体情報の測定値を受信し、当該通信日時と当該第１計時値とに基づいて、前記生体情報が測定された日時である測定日時を算出する第２制御部と、を有する、生体情報測定システム。
【請求項９】
前記第１制御部は、前記タイマ部の計時値が前記所定時間としての時間閾値を経過する前に、前記測定部による生体情報の測定を再び開始するとき、前記タイマ部の電源をオン状態に維持する、請求項８に記載の生体情報測定システム。
【請求項１０】
前記第１制御部は、前記タイマ部の計時値が前記時間閾値を経過する前に、前記測定部による生体情報の測定を再び開始するとき、前記タイマ部の計時値をリセットする、請求項９に記載の生体情報測定システム。
【請求項１１】
前記第１制御部は、前記タイマ部の計時値が前記所定時間としての設定時間以上になると、前記タイマ部の電源をオフ状態にする、請求項８乃至１０の何れか一項に記載の生体情報測定システム。
【請求項１２】
前記第１制御部は、前記第１計時値の代わりに、前記タイマ部が計時を開始してから前記生体情報の測定が終了するときまでの第２計時値と、前記タイマ部が計時を開始してから前記制御装置と通信するときまでの第３計時値とを、前記第１通信部によって前記制御装置に送信し、
前記第２制御部は、前記第２通信部によって前記生体情報測定装置から、前記第２計時値及び前記第３計時値を受信すると、前記第３計時値から前記第２計時値を減算することにより、前記第１計時値を算出する、請求項１１に記載の生体情報測定システム。
【請求項１３】
前記生体情報測定装置は、前記生体情報測定装置に前記設定時間が設定されているか否かを示すフラグを格納する記憶部をさらに有し、
前記第１制御部は、前記フラグを前記第１通信部によって前記制御装置に送信し、
前記第２制御部は、前記第２通信部によって前記生体情報測定装置から受信したフラグが前記生体情報測定装置に前記設定時間が設定されていないことを示すとき、前記設定時間を、前記第２通信部によって前記生体情報測定装置に送信する、請求項１１又は１２に記載の生体情報測定システム。
【請求項１４】
前記第１制御部は、前記第１通信部によって前記制御装置から前記設定時間を受信すると、前記記憶部に格納されたフラグを、前記生体情報測定装置に前記設定時間が設定されていることを示すフラグに変更する、請求項１３に記載の生体情報測定システム。
【請求項１５】
前記第１制御部は、前記タイマ部の電源をオン状態からオフ状態にすると、前記記憶部に格納されたフラグを、前記生体情報測定装置に前記設定時間が設定されていないことを示すフラグに変更する、請求項１３又は１４に記載の生体情報測定システム。
【発明の詳細な説明】
【技術分野】
【０００１】
本開示は、生体情報測定装置及び生体情報測定システムに関する。
【背景技術】
【０００２】
近年、より高度な医療を提供するために、生体情報を測定すると共に、当該生体情報を測定した時刻を取得する生体情報測定装置が知られている（例えば、特許文献１）。特許文献１に記載の生体情報測定装置は、生体情報を測定すると共に、自装置に備えられる時計から当該生体情報を測定した時刻を取得している。
【先行技術文献】
【特許文献】
【０００３】
【特許文献１】特開２００３−２６５４１９号公報
【発明の概要】
【発明が解決しようとする課題】
【０００４】
ところで、従来の生体情報測定装置では、生体情報を測定した時刻を取得するために、生体情報測定装置に備えられる時計を、常時、駆動させ続けることが求められる。しかしながら、時計が常時駆動し続けると、生体情報測定装置の消費電力が増加してしまう。
【０００５】
かかる点に鑑みてなされた本開示の目的は、消費電力を低減させることができる生体情報測定装置及び生体情報測定システムを提供することにある。
【課題を解決するための手段】
【０００６】
本開示の第１態様としての生体情報測定装置は、タイマ部と、外部機器と通信可能な通信部と、被検者の生体情報を測定する測定部と、遅くとも前記測定部による生体情報の測定を終了するときまでに前記タイマ部の電源をオン状態にして、前記生体情報の測定が終了するときから前記外部機器と通信するときまでの第１計時値を前記タイマ部から取得し、当該生体情報と併せて当該第１計時値を前記外部機器に送信し、さらに前記タイマ部の計時値が所定時間以上になると前記タイマ部の電源をオフ状態にする制御部と、を有する。
【０００７】
本開示の１つの実施形態として、前記制御部は、前記タイマ部の計時値が前記所定時間としての時間閾値を経過する前に、前記測定部による生体情報の測定を再び開始するとき、前記タイマ部の電源をオン状態に維持する。
【０００８】
本開示の１つの実施形態として、前記制御部は、前記タイマ部の計時値が前記時間閾値を経過する前に、前記測定部による生体情報の測定を再び開始するとき、前記タイマ部の計時値をリセットする。
【０００９】
本開示の１つの実施形態として、前記制御部は、前記タイマ部の計時値が前記所定時間としての設定時間以上になると、前記タイマ部の電源をオフ状態にする。
【００１０】
本開示の１つの実施形態として、前記制御部は、前記第１計時値の代わりに、前記タイマ部が計時を開始してから前記生体情報の測定が終了するときまでの第２計時値と、前記タイマ部が計時を開始してから前記外部機器と通信するときまでの第３計時値とを、前記通信部によって前記外部機器に送信する。
【００１１】
本開示の１つの実施形態として、前記生体情報測定装置に前記設定時間が設定されているか否かを示すフラグを格納する記憶部をさらに有し、前記制御部は、前記通信部によって前記外部機器から前記設定時間を受信すると、前記記憶部に格納されたフラグを、前記生体情報測定装置に前記設定時間が設定されていることを示すフラグに変更する。
【００１２】
本開示の１つの実施形態として、前記制御部は、前記タイマ部の電源をオン状態からオフ状態にすると、前記記憶部に格納されたフラグを、前記生体情報測定装置に前記設定時間が設定されていないことを示すフラグに変更する。
【００１３】
本開示の第２態様としての生体情報測定システムは、生体情報測定装置及び制御装置を備える生体情報測定システムであって、前記生体情報測定装置は、タイマ部と、前記制御装置と通信可能な第１通信部と、被検者の生体情報を測定する測定部と、遅くとも前記測定部による生体情報の測定を終了するときまでに前記タイマ部の電源をオン状態にして、前記生体情報の測定が終了するときから前記制御装置と通信するときまでの第１計時値を前記タイマ部から取得し、当該生体情報と併せて当該第１計時値を前記制御装置に送信し、さらに前記タイマ部の計時値が所定時間以上になると前記タイマ部の電源をオフ状態にする第１制御部と、を有し、前記制御装置は、時計部と、前記生体情報測定装置と通信可能な第２通信部と、前記生体情報測定装置と通信するときの通信日時を前記時計部から取得し、前記第２通信部によって前記生体情報測定装置から前記第１計時値及び前記生体情報の測定値を受信し、当該通信日時と当該第１計時値とに基づいて、前記生体情報が測定された日時である測定日時を算出する第２制御部と、を有する。
【００１４】
本開示の１つの実施形態として、前記第１制御部は、前記タイマ部の計時値が前記所定時間としての時間閾値を経過する前に、前記測定部による生体情報の測定を再び開始するとき、前記タイマ部の電源をオン状態に維持する。
【００１５】
本開示の１つの実施形態として、前記第１制御部は、前記タイマ部の計時値が前記時間閾値を経過する前に、前記測定部による生体情報の測定を再び開始するとき、前記タイマ部の計時値をリセットする。
【００１６】
本開示の１つの実施形態として、前記第１制御部は、前記タイマ部の計時値が前記所定時間としての設定時間以上になると、前記タイマ部の電源をオフ状態にする。
【００１７】
本開示の１つの実施形態として、前記第１制御部は、前記第１計時値の代わりに、前記タイマ部が計時を開始してから前記生体情報の測定が終了するときまでの第２計時値と、前記タイマ部が計時を開始してから前記制御装置と通信するときまでの第３計時値とを、前記第１通信部によって前記制御装置に送信し、前記第２制御部は、前記第２通信部によって前記生体情報測定装置から、前記第２計時値及び前記第３計時値を受信すると、前記第３計時値から前記第２計時値を減算することにより、前記第１計時値を算出する。
【００１８】
本開示の１つの実施形態として、前記生体情報測定装置は、前記生体情報測定装置に前記設定時間が設定されているか否かを示すフラグを格納する記憶部をさらに有し、前記第１制御部は、前記フラグを前記第１通信部によって前記制御装置に送信し、前記第２制御部は、前記第２通信部によって前記生体情報測定装置から受信したフラグが前記生体情報測定装置に前記設定時間が設定されていないことを示すとき、前記設定時間を、前記第２通信部によって前記生体情報測定装置に送信する。
【００１９】
本開示の１つの実施形態として、前記第１制御部は、前記第１通信部によって前記制御装置から前記設定時間を受信すると、前記記憶部に格納されたフラグを、前記生体情報測定装置に前記設定時間が設定されていることを示すフラグに変更する。
【００２０】
本開示の１つの実施形態として、前記第１制御部は、前記タイマ部の電源をオン状態からオフ状態にすると、前記記憶部に格納されたフラグを、前記生体情報測定装置に前記設定時間が設定されていないことを示すフラグに変更する。
【発明の効果】
【００２１】
本開示に係る生体情報測定装置及び生体情報測定システムによれば、消費電力を低減させることができる。
【図面の簡単な説明】
【００２２】
【図１】本開示の第１実施形態に係る生体情報測定システムの概略構成図である。
【図２】図１に示す生体情報測定システムの機能ブロック図である。
【図３】図２に示す生体情報測定装置の処理内容の一例を示す図である。
【図４】図２に示す生体情報測定装置の動作を示すフローチャートである（その１）。
【図５】図２に示す生体情報測定装置の動作を示すフローチャートである（その２）。
【図６】図２に示す制御装置の動作を示すフローチャートである。
【図７】図２に示す生体情報測定システムの処理手順の一例を示すシーケンス図である。
【図８】本開示の第２実施形態に係る生体情報測定装置の処理内容の一例を示す図である。
【図９】本開示の第２実施形態に係る生体情報測定装置の動作を示すフローチャート（その１）である。
【図１０】本開示の第２実施形態に係る生体情報測定装置の動作を示すフローチャート（その２）である。
【図１１】本開示の第２実施形態に係る生体情報測定装置の動作を示すフローチャートである（その３）。
【図１２】本開示の第２実施形態に係る制御装置の動作を示すフローチャートである。
【図１３】本開示の第２実施形態に係る生体情報測定システムの処理手順の一例を示すシーケンス図である（その１）。
【図１４】本開示の第２実施形態に係る生体情報測定システムの処理手順の一例を示すシーケンス図である（その２）。
【発明を実施するための形態】
【００２３】
以下、本開示に係る実施形態について、図面を参照して説明する。以下、各図において共通の構成部には、同一符号を付す。
【００２４】
（第１実施形態）
［生体情報測定システムの概略構成］
図１は、本開示の第１実施形態に係る生体情報測定システム１の概略構成図である。生体情報測定システム１は、生体情報測定装置１０と、制御装置２０とを備える。生体情報測定装置１０と制御装置２０は、互いに無線通信することができる。以下、生体情報測定装置１０と制御装置２０は、近距離無線通信（ＮＦＣ：Near Field Communication）規格に従って通信するものとする。ただし、生体情報測定装置１０と制御装置２０は、任意の無線通信規格に従って通信してよい。当該任意の無線通信規格は、無線ＬＡＮ、Ｂｌｕｅｔｏｏｔｈ（登録商標）、ＩｒＤＡ（Infrared Data Association）、２Ｇ（2nd Generation）、３Ｇ（3rd Generation）、４Ｇ（4th Generation）、ＬＴＥ（Long Term Evolution）、ＷｉＭＡＸ（Worldwide Interoperability for Microwave Access）及びＰＨＳ（Personal Handy-phone System）を含んでよい。また、生体情報測定装置１０と制御装置２０は、互いに有線通信してもよい。
【００２５】
以下、生体情報測定装置１０が生体情報を測定する対象者は、「被検者」と記載する。また、生体情報測定装置１０を操作する者は、「操作者」と記載する。
【００２６】
生体情報測定装置１０は、被検者の生体情報を測定する。生体情報は、脈拍数、経皮的動脈血酸素飽和度（ＳｐО２）、体温、血糖値、体重、血圧値及び活動量を含んでよい。活動量は、歩数及び消費カロリーを含んでよい。
【００２７】
生体情報測定装置１０は、図１に示すような、パルスオキシメータ１０Ａ、体温計１０Ｂ、血糖計１０Ｃ又は活動量計１０Ｄであってよい。ただし、生体情報測定装置１０は、図１に示す機器に限定されない。例えば、生体情報測定装置１０は、血圧計又は体重計であってよい。
【００２８】
生体情報測定装置１０は、病院等の医療機関で使用されてよい。この場合、操作者は、看護師等の医療従事者であり得る。また、被検者は、医療機関に来院している患者であり得る。医療従事者は、生体情報測定装置１０を操作して、生体情報測定装置１０に患者の生体情報を測定させる。医療従事者は、生体情報測定装置１０の測定が終了すると、生体情報測定装置１０と制御装置２０とが通信可能になるように、生体情報測定装置１０を、制御装置２０の通信部２３にかざす（以降、単に「かざす」とも記載する）。生体情報測定装置１０が制御装置２０の通信部２３にかざされることで、生体情報測定装置１０と制御装置２０との間で近距離無線通信が実行される。生体情報測定装置１０と制御装置２０との間で近距離無線通信が実行されることで、患者の生体情報の測定値は、生体情報測定装置１０から制御装置２０へ送信されて、制御装置２０に格納される。この後、医師は、制御装置２０に格納された患者の生体情報の測定値を、例えば制御装置２０の表示部２１を介して閲覧することで、患者の健康状態等を診断する。
【００２９】
生体情報測定装置１０は、医療機関で使用される場合、巡回中の医療従事者によって使用されてよい。医療機関では、看護師等の医療従事者が、朝及び夜の決められた時間帯に、複数の入院患者を巡回して、複数の入院患者の生体情報を測定する場合がある。この場合、生体情報測定装置１０は、例えば１時間程度の短時間内に、複数の入院患者の生体情報を測定し得る。
【００３０】
また、生体情報測定装置１０は、個人宅で使用されてよい。この場合、被検者が操作者となり得る。被検者である操作者は、生体情報測定装置１０を操作して、生体情報測定装置１０に被検者である自分の生体情報を測定させる。被検者である操作者は、生体情報測定装置１０の測定が終了すると、生体情報測定装置１０を、制御装置２０の通信部２３にかざす。生体情報測定装置１０が制御装置２０の通信部２３にかざされることで、上述のように、被検者の生体情報の測定値は、制御装置２０に格納される。この後、被検者である操作者は、医療機関にかかる際、制御装置２０に格納された自分の生体情報を、例えばプリントアウトすることにより、持参する。医師は、被検者である操作者が持参した生体情報の測定値を閲覧することで、被検者である操作者の健康状態等を診断する。
【００３１】
制御装置２０は、デスクトップＰＣ又はノートＰＣといった、ＰＣ端末であってよい。制御装置２０は、生体情報測定装置１０が病院等の医療機関で使用される場合、当該医療機関に設置されてよい。また、制御装置２０は、生体情報測定装置１０が個人宅で使用される場合、当該個人宅に設置されてよい。
【００３２】
制御装置２０は、生体情報測定装置１０から生体情報の測定値等を受信する。制御装置２０は、生体情報測定装置１０から受信した生体情報の測定値と、当該生体情報の測定値が測定された日時（以下「測定日時」という）とを関連付けて格納することができる。この処理の詳細は、後述する。生体情報の測定値と測定日時とが関連付けられることで、医師は、より精度良く、被検者の健康状態等を診断することができる。
【００３３】
［生体情報測定システムの機能構成］
図２は、本開示の第１実施形態に係る生体情報測定システム１の機能ブロック図である。生体情報測定システム１は、生体情報測定装置１０と、制御装置２０とを備える。
【００３４】
生体情報測定装置１０は、測定部１１と、タイマ部１２と、入力部１３と、電池１４と、通信部１５（第１通信部）と、記憶部１６と、制御部１７（第１制御部）とを有する。ただし、生体情報測定装置１０が有する構成要素は、これらに限定されない。例えば、生体情報測定装置１０は、報知部及び表示部をさらに有してもよい。
【００３５】
測定部１１は、被検者の生体情報を測定する。測定部１１は、生体情報測定装置１０に応じて、適宜構成されてよい。
【００３６】
例えば、測定部１１は、生体情報測定装置１０が図１に示すパルスオキシメータ１０Ａである場合、発光素子及び受光センサを含んで構成されてよい。当該発光素子は、被検者の生体組織に向けて、赤色光及び赤外光を発する。当該受光センサは、赤色光及び赤外光の被検者の生体組織における透過光又は反射光を受光し、血中酸素飽和度及び／又は脈拍数を測定する。
【００３７】
例えば、測定部１１は、生体情報測定装置１０が図１に示す体温計１０Ｂである場合、温度センサを含んで構成されてよい。当該温度センサは、図１に示す体温計１０Ｂのキャップ１０Ｂ−１に収容されてよい。
【００３８】
例えば、測定部１１は、生体情報測定装置１０が図１に示す血糖計１０Ｃである場合、発光素子及び受光センサを含んで構成されてよいし、電極システムを含んで構成されてもよい。血糖計１０Ｃに取り外し可能に装着されるチップ又は体内に埋め込まれるセンサに被検者の体液が接触すると、体液中のグルコース値に応じた試薬反応が起こる。血糖計１０Ｃは、その試薬反応量を受光量及び／又は酸化電流量として検出し、血糖値を算出（測定）する。
【００３９】
例えば、測定部１１は、生体情報測定装置１０が図１に示す活動量計１０Ｄである場合、加速度センサを含んで構成されてよい。加速度センサは、生体情報測定装置１０に働く加速度の大きさ及び／又は方向を検出する。生体情報測定装置１０に働く加速度の大きさ及び／又は方向に基づいて、被検者の歩数、活動量及び／又は歩行強度を算出（測定）する。
【００４０】
タイマ部１２の電源は、制御部１７によって、オン状態にされる。また、タイマ部１２の電源は、制御部１７によって、オフ状態にされる。タイマ部１２は、電源がオン状態である間、計時する。タイマ部１２は、カウンタ回路を含んで構成されてよい。
【００４１】
入力部１３は、生体情報測定装置１０に対する操作者の入力を受付ける。生体情報測定装置１０が図１に示す体温計１０Ｂである場合、入力部１３は、図１に示す電源ボタン１０Ｂ−３であってよい。
【００４２】
電池１４は、生体情報測定装置１０に含まれる各構成要素に電力を供給する。電池１４は、リチウムコイン電池等の一次電池であってよい。又は、電池１４は、二次電池であってよい。
【００４３】
通信部１５は、外部機器と通信可能である。本実施形態では、外部機器は、制御装置２０であるものとする。通信部１５は、近距離無線通信規格に対応する無線通信モジュールを含んで構成されてよい。
【００４４】
記憶部１６は、半導体メモリ又は磁気メモリ等で構成されてよい。記憶部１６は、各種情報及び／又は生体情報測定装置１０を動作させるためのプログラム等を記憶する。記憶部１６は、ワークメモリとして機能してもよい。
【００４５】
例えば、記憶部１６は、測定部１１が測定した生体情報の測定値を格納する。また、記憶部１６は、後述の時間閾値を格納する。
【００４６】
制御部１７は、生体情報測定装置１０を構成する各機能ブロックをはじめとして、生体情報測定装置１０の全体を制御及び管理するプロセッサである。制御部１７は、制御手順を規定したプログラムを実行するＣＰＵ（Central Processing Unit）等のプロセッサ又は各機能の処理に特化した専用のプロセッサで構成されてよい。
【００４７】
制御部１７は、所定条件が満たされると、被検者の生体情報の測定を開始する。例えば、生体情報測定装置１０がパルスオキシメータ１０Ａである場合、制御部１７は、当該所定条件として、測定部１１が所定量（閾値）を超える受光量を検出すると、生体情報である酸素飽和度及び脈拍数の測定を開始する。また、例えば、生体情報測定装置１０が体温計１０Ｂである場合、制御部１７は、当該所定条件として測定部１１が所定値（例えば、３０度）を超える温度を検出すると、生体情報である体温の測定を開始する。
【００４８】
制御部１７は、測定部１１の測定結果に基づいて、生体情報の測定値を確定可能であるとき、測定部１１による生体情報の測定を終了する。例えば、生体情報測定装置１０が体温計１０Ｂである場合、制御部１７は、測定部１１が検出した温度と所定の予測式とに基づいて、被検者の体温の測定値を確定可能であるとき、生体情報の測定を終了する。
【００４９】
制御部１７は、測定部１１による生体情報の測定を終了すると、生体情報の測定値を表示させる。例えば、生体情報測定装置１０が体温計１０Ｂである場合、制御部１７は、図１に示すディスプレイ１０Ｂ−２に体温の測定値を表示させる。さらに、制御部１７は、生体情報の測定値を、記憶部１６に格納する。
【００５０】
ここで、制御部１７は、遅くとも測定部１１による生体情報の測定を終了するときまでに、タイマ部１２の電源をオン状態にする。制御部１７は、生体情報の測定を終了するときにタイマ部１２の電源をオンにしてもよいし、測定部１１による生体情報の測定を開始するときにタイマ部１２の電源をオン状態にしてもよい。制御部１７は、タイマ部１２の計時値を「００：００：００」にリセットする。タイマ部１２は、リセットされると「００：００：００」から計時を開始する。
【００５１】
図３に、図２に示す生体情報測定装置１０の処理内容の一例を示す。図３に示す例では、制御部１７は、「２０１７年１２月１９日  １０：００：００」に被検者の生体情報の測定を開始する。
【００５２】
図３に示す例では、制御部１７は、「２０１７年１２月１９日  １０：００：２０」に、測定部１１による生体情報の測定を終了する。制御部１７は、測定部１１による生体情報の測定を終了するときに、タイマ部１２の電源をオン状態にする。また、制御部１７は、タイマ部１２の計時値を「００：００：００」にリセットする。タイマ部１２は、「００：００：００」から計時を開始する。
【００５３】
図２に示す制御部１７は、操作者が生体情報測定装置１０を図１に示す通信部２３にかざすことにより、通信部１５によって制御装置２０と通信することができる。例えば、操作者は、図１に示すディスプレイ１０Ｂ−２の表示内容を視認することにより生体情報の測定が終了したことを知ると、生体情報測定装置１０を図１に示す通信部２３にかざす。制御部１７は、通信部１５によって制御装置２０と通信するとき、第１計時値をタイマ部１２から取得する。第１計時値は、生体情報の測定が終了するときから制御装置２０と通信するときまでの計時値である。制御部１７は、生体情報の測定値と併せて第１計時値を、通信部１５によって制御装置２０に、送信する。
【００５４】
図３に示す例では、制御部１７は、「２０１７年１２月１９日  １０：０３：００」に、制御装置２０と通信する。このとき、制御部１７は、第１計時値として、「００：０２：４０」をタイマ部１２から取得する。制御部１７は、生体情報の測定値と併せて第１計時値「００：０２：４０」を、通信部１５によって制御装置２０に送信する。
【００５５】
図２に示す制御部１７は、タイマ部１２の電源をオン状態にした後、タイマ部１２の計時値が所定時間以上になると、タイマ部１２の電源をオフ状態にする。第１実施形態では、所定時間は、時間閾値である。時間閾値は、医療従事者が複数の入院患者を巡回して生体情報を測定する場合において、当該医療従事者が一人当たりの入院患者に掛ける時間を想定して設定されてよい。例えば、時間閾値は、１０分であってよい。
【００５６】
制御部１７は、タイマ部１２の計時値が時間閾値以上になっても、測定部１１による被検者の生体情報の測定を再び開始しないとき、タイマ部１２の電源をオフ状態にする。このような処理によって、生体情報測定装置１０が一人の入院患者の生体情報の測定を終了した後、医療従事者が、時間閾値以内に、別の入院患者の生体情報の測定を生体情報測定装置１０に開始させないとき、タイマ部１２の電源はオフ状態になる。換言すると、医療従事者が複数の入院患者を巡回する場合において、医療従事者が入院患者の巡回を終えると、タイマ部１２の電源は自動的にオフ状態になる。
【００５７】
一方、制御部１７は、タイマ部１２の計時値が時間閾値を経過する前に、測定部１１による被検者の生体情報の測定を再び開始するとき、タイマ部１２の電源をオン状態に維持する。このような処理によって、巡回中の医療従事者が、別の入院患者の生体情報の測定を生体情報測定装置１０に開始させるとき、タイマ部１２の電源がオン状態に維持される。換言すると、医療従事者が複数の入院患者を巡回している間、タイマ部１２の電源はオン状態に維持される。
【００５８】
図３に示す例では、時間閾値は、１０分である。図３に示す例では、制御部１７は、「２０１７年１２月１９日  １０：０８：００」に測定部１１による生体情報の測定を再び開始する。つまり、制御部１７は、タイマ部１２の計時値「００：０７：４０」が時間閾値の１０分を経過する前に、測定部１１による被検者の生体情報の測定を再び開始する。そのため、制御部１７は、「２０１７年１２月１９日  １０：０８：００」では、タイマ部１２の電源をオン状態に維持する。また、制御部１７は、測定部１１による生体情報の測定を終了するときに、タイマ部１２の計時値を「００：００：００」にリセットしてよい。タイマ部１２は、再び「００：００：００」から計時を開始する。さらに、制御部１７は、「２０１７年１２月１９日  １０：１１：１０」に、生体情報の測定値と併せて第１計時値「００：０２：５０」を、通信部１５によって制御装置２０に送信する。
【００５９】
図３に示す例では、測定部１１による被検者の生体情報の測定が再び開始されないまま、「２０１７年１２月１９日  １０：１８：２０」にタイマ部１２の計時値が時間閾値「００：１０：００」になる。つまり、制御部１７は、タイマ部１２の計時値が時間閾値以上になっても、測定部１１による被検者の生体情報の測定を開始しない。そのため、制御部１７は、「２０１７年１２月１９日  １０：１８：２０」に、タイマ部１２の電源をオフ状態にする。
【００６０】
このように、制御部１７は、医療従事者が入院患者の巡回を終えると、タイマ部１２の電源をオフ状態にすることができる。このような処理によって、タイマ部１２が駆動し続けることを防ぐことができる。タイマ部１２が駆動し続けることを防ぐことで、生体情報測定装置１０の消費電力を低減させることができる。
【００６１】
また、制御部１７は、医療従事者が複数の入院患者を巡回している間、タイマ部１２の電源をオン状態に維持することができる。ここで、タイマ部１２は、タイマ部１２の電源をオフからオンに立ち上げるとき、タイマ部１２が駆動し続けているときよりも、大きな電力を消費する場合がある。このような場合に、短時間内にタイマ部１２の電源がオン状態又はオフ状態に頻繁に切替えられると、タイマ部１２の消費電力が結果として大きくなってしまう場合がある。本実施形態では、医療従事者が複数の入院患者を巡回している間、タイマ部１２の電源をオン状態に維持することで、患者の生体情報を生体情報測定装置１０によって測定する毎に、タイマ部１２の電源をオン状態又はオフ状態に切り替えることを防ぐことができる。つまり、医療従事者が複数の入院患者を巡回している間、タイマ部１２の電源をオン状態に維持することで、短時間内にタイマ部１２の電源がオフ状態又はオン状態に頻繁に切り替えられることを防ぐことができる。このような処理によって、生体情報測定装置１０の消費電力を低減させることができる。
【００６２】
図２に示すように、制御装置２０は、表示部２１と、時計部２２と、通信部２３（第２通信部）と、記憶部２４と、制御部２５（第２制御部）とを有する。ただし、制御装置２０が有する構成要素は、これらに限定されない。例えば、制御装置２０は、遠距離無線通信に対応する通信部と、バッテリとをさらに有してもよい。
【００６３】
表示部２１は、制御部２５の制御に基づいて、文字、記号及び画像等を含む各種情報を表示する。表示部２１は、液晶ディスプレイ、有機ＥＬディスプレイ又は無機ＥＬディスプレイ等を含んで構成されてよい。
【００６４】
時計部２２は、日時をカウントする。日時は、日付及び時刻を含んでよい。時計部２２は、ハードウェアクロックを含んで構成されてよい。なお、時計部２２は、不図示のネットワークを介して時刻サーバーが保持する正確な日時情報と同期させた状態であってよい。
【００６５】
通信部２３は、図１に示すように制御装置２０の外側に、配置されてよい。通信部２３は、近距離無線通信規格に対応する無線モジュールを含んで構成されてよい。
【００６６】
記憶部２４は、半導体メモリ又は磁気メモリ等で構成されてよい。記憶部２４は、各種情報及び／又は制御装置２０を動作させるためのプログラム等を記憶する。記憶部２４は、ワークメモリとして機能してもよい。
【００６７】
例えば、記憶部２４は、生体情報測定装置１０から受信した生体情報の測定値と、当該測定値の測定日時とを関連付けて格納する。
【００６８】
制御部２５は、制御装置２０を構成する各機能ブロックをはじめとして、制御装置２０の全体を制御及び管理するプロセッサである。制御部２５は、制御手順を規定したプログラムを実行するＣＰＵ（Central Processing Unit）等のプロセッサ又は各機能の処理に特化した専用のプロセッサで構成されてよい。
【００６９】
制御部２５は、例えば通信部２３が近距離無線通信に基づく生体情報測定装置１０からの磁界を検出すると、通信部２３によって生体情報測定装置１０との通信を開始する。
【００７０】
制御部２５は、生体情報測定装置１０と通信するときに、時計部２２から通信日時を取得する。通信日時は、制御装置２０が生体情報測定装置１０と通信するときの日時である。さらに、制御部２５は、通信部２３によって生体情報測定装置１０から、生体情報の測定値及び第１計時値を受信する。
【００７１】
制御部２５は、時計部２２から取得した通信日時と、生体情報測定装置１０から受信した第１計時値とに基づいて、測定日時を算出する。制御部２５は、通信日時から第１計時値を減算することにより、測定日時を算出してよい。
【００７２】
図３に示す例では、制御部２５は、「２０１７年１２月１９日  １０：０３：００」に、生体情報測定装置１０と通信する。このとき、制御部２５は、通信日時として「２０１７年１２月１９日  １０：０３：００」を、時計部２２から取得する。また、制御部２５は、通信部２３によって生体情報測定装置１０から、第１計時値として「００：０２：４０」を取得する。この場合、制御部２５は、「２０１７年１２月１９日  １０：０３：００」から「００：０２：４０」を減算することにより、測定日時を「２０１７年１２月１９日  １０：００：２０」と算出する。
【００７３】
図３に示す例では、制御部２５は、「２０１７年１２月１９日  １０：１１：１０」に、生体情報測定装置１０と通信する。このとき、制御部２５は、通信日時として「２０１７年１２月１９日  １０：１１：１０」を、時計部２２から取得する。また、制御部２５は、通信部２３によって生体情報測定装置１０から、第１計時値として「００：０２：５０」を取得する。この場合、制御部２５は、「２０１７年１２月１９日  １０：１１：１０」から「００：０２：５０」を減算することにより、測定日時を「２０１７年１２月１９日  １０：０８：２０」と算出する。
【００７４】
制御部２５は、生体情報測定装置１０から受信した生体情報の測定値と、算出した測定日時とを関連付けて、記憶部２４に格納する。
【００７５】
［生体情報測定装置の動作］
図４は、図２に示す生体情報測定装置１０の動作を示すフローチャートである（その１）。制御部１７は、入力部１３に対する操作者の入力を検出すると、図４に示す処理を開始する。又は、生体情報測定装置１０が図１に示す体温計１０Ｂである場合、制御部１７は、測定部１１が所定値を超える温度を検出すると、図４に示す処理を開始してもよい。
【００７６】
制御部１７は、測定部１１による被検者の生体情報の測定を開始する（ステップＳ１０）。制御部１７は、測定部１１による生体情報の測定を終了するか否か判定する（ステップＳ１１）。
【００７７】
制御部１７は、測定部１１による被検者の生体情報の測定を終了すると判定するとき（ステップＳ１１：Ｙｅｓ）、ステップＳ１２の処理に進む。一方、制御部１７は、測定部１１による被検者の生体情報の測定を終了すると判定しないとき（ステップＳ１１：Ｎｏ）、再びステップＳ１１の処理を実行する。
【００７８】
ステップＳ１２の処理では、制御部１７は、生体情報の測定値を表示する。さらに、ステップＳ１２の処理では、制御部１７は、生体情報の測定値を、記憶部１６に格納する。
【００７９】
ステップＳ１３の処理では、制御部１７は、タイマ部１２の電源がオン状態であるか否か判定する。制御部１７は、タイマ部１２の電源がオン状態であると判定するとき（ステップＳ１３：Ｙｅｓ）、ステップＳ１５の処理に進む。一方、制御部１７は、タイマ部１２の電源がオン状態であると判定しないとき、すなわち、タイマ部１２の電源がオフ状態であると判定するとき（ステップＳ１３：Ｎｏ）、ステップＳ１４の処理に進む。
【００８０】
ステップＳ１４の処理では、制御部１７は、タイマ部１２の電源をオン状態にし、ステップＳ１５の処理に進む。ステップＳ１５の処理では、制御部１７は、タイマ部１２の計時を「００：００：００」にリセットする。タイマ部１２は、「００：００：００」から計時を開始する。
【００８１】
ステップＳ１６の処理では、制御部１７は、制御装置２０と通信しているか否か判定する。制御部１７は、制御装置２０と通信していると判定するとき（ステップＳ１６：Ｙｅｓ）、第１計時値をタイマ部１２から取得して、ステップＳ１７の処理に進む。一方、制御部１７は、制御装置２０と通信していると判定しないとき（ステップＳ１６：Ｎｏ）、再びステップＳ１６の処理を実行する。
【００８２】
ステップＳ１７の処理では、制御部１７は、通信部１５によって制御装置２０に、生体情報の測定値と併せて第１計時値を送信する。
【００８３】
なお、制御部１７は、ステップＳ１３及びステップＳ１４の処理を、ステップＳ１０の処理の前後で実行してもよい。
【００８４】
図５は、図２に示す生体情報測定装置１０の動作を示すフローチャートである（その２）。制御部１７は、図４に示すステップＳ１５の処理を実行すると、図５に示す処理を開始する。制御部１７は、図４に示す処理と並行して、図５に示す処理を実行する。
【００８５】
制御部１７は、タイマ部１２の計時値が時間閾値以上であるか否か判定する（ステップＳ１８）。制御部１７は、タイマ部１２の計時値が時間閾値以上であると判定するとき（ステップＳ１８：Ｙｅｓ）、ステップＳ１９の処理に進む。一方、制御部１７は、タイマ部１２の計時値が時間閾値を下回ると判定するとき（ステップＳ１８：Ｎｏ）、再びステップＳ１８の処理を実行する。
【００８６】
ステップＳ１９の処理では、制御部１７はタイマ部１２の電源をオフ状態にする。
【００８７】
なお、制御部１７は、タイマ部１２の計時値が時間閾値を経過する前に測定部１１による被検者の生体情報の測定を再び開始してタイマ部１２の電源をオン状態に維持した後、ステップＳ１８の処理を実行する場合がある。この場合、制御部１７は、ステップ１８の処理においてタイマ部１２の計時値が時間閾値以上であると判定しても、ステップ１９の処理を実行しなくてよい。すなわち、制御部１７は、タイマ部１２の電源をオフ状態にしなくてよい。
【００８８】
［制御装置の動作］
図６は、図２に示す制御装置２０の動作を示すフローチャートである。例えば、制御部２５は、通信部２３が近距離無線通信に基づく生体情報測定装置１０からの磁界を検出するとき、図６に示す処理を開始する。
【００８９】
制御部２５は、通信部２３によって生体情報測定装置１０との通信を開始する（ステップＳ２０）。制御部２５は、時計部２２から通信日時を取得する（ステップＳ２１）。制御部２５は、通信部２３によって生体情報測定装置１０から、生体情報の測定値及び第１計時値を受信する（ステップＳ２２）。
【００９０】
制御部２５は、ステップＳ２１の処理で取得した通信日時と、ステップＳ２２の処理で受信した第１計時値とに基づいて、測定日時を算出する（ステップＳ２３）。
【００９１】
制御部２５は、ステップＳ２２の処理で受信した生体情報の測定値と、ステップＳ２３の処理で算出した測定日時とを関連付けて、記憶部２４に格納する（ステップＳ２４）。
【００９２】
なお、制御部２５は、生体情報測定装置１０との通信が終了した後に、ステップＳ２３，Ｓ２４の処理を実行してもよい。又は、制御部２５は、ステップＳ２３，Ｓ２４の処理が終了した後に、生体情報測定装置１０との通信を終了してもよい。
【００９３】
［生体情報測定システムの動作］
図７は、図２に示す生体情報測定システム１の処理手順の一例を示すシーケンス図である。
【００９４】
生体情報測定装置１０では、制御部１７は、測定部１１による被検者の生体情報の測定を開始する（ステップＳ３０）。その後、制御部１７は、測定部１１による生体情報の測定を終了する（ステップＳ３１）。
【００９５】
生体情報測定装置１０では、制御部１７は、タイマ部１２の電源がオン状態であるか否か判定する（ステップＳ３２）。制御部１７は、タイマ部１２の電源がオン状態であると判定するとき（ステップＳ３２：Ｙｅｓ）、ステップＳ３４の処理に進む。一方、制御部１７は、タイマ部１２の電源がオフ状態であると判定するとき（ステップＳ３２：Ｎｏ）、ステップＳ３３の処理に進む。
【００９６】
生体情報測定装置１０では、制御部１７は、ステップＳ３３の処理においてタイマ部１２の電源をオン状態にし、ステップＳ３４の処理に進む。制御部１７は、タイマ部１２の計時値を「００：００：００」にリセットする（ステップＳ３４）。タイマ部１２は、「００：００：００」から計時を開始する。
【００９７】
操作者が生体情報測定装置１０を図１に示す通信部２３にかざすことにより、生体情報測定装置１０と制御装置２０とは、通信を開始する（ステップＳ３５）。
【００９８】
生体情報測定装置１０では、制御部１７は、タイマ部１２から第１計時値を取得する（ステップＳ３６Ａ）。制御装置２０では、制御部２５は、時計部２２から通信日時を取得する（ステップＳ３６Ｂ）。
【００９９】
生体情報測定装置１０では、制御部１７は、通信部１５によって制御装置２０に、生体情報の測定値と併せて第１計時値を送信する（ステップＳ３７Ａ）。制御装置２０では、制御部２５は、通信部２３によって生体情報測定装置１０から、生体情報の測定値及び第１計時値を受信する（ステップＳ３７Ｂ）。
【０１００】
生体情報測定装置１０と制御装置２０は、通信を終了する（ステップＳ３８）。
【０１０１】
制御装置２０では、制御部２５は、ステップＳ３６Ｂの処理で取得した通信日時と、ステップＳ３７Ｂの処理で受信した第１計時値とに基づいて、測定日時を算出する（ステップＳ３９）。制御部２５は、ステップＳ３７Ｂの処理で受信した生体情報の測定値と、ステップＳ３９の処理で算出した測定日時とを関連付けて、記憶部２４に格納する（ステップＳ４０）。
【０１０２】
生体情報測定装置１０では、制御部１７は、タイマ部１２の計時値が時間閾値以上であると判定する（ステップＳ４１）。制御部１７は、タイマ部１２の電源をオフ状態にする（ステップＳ４２）。
【０１０３】
なお、生体情報測定装置１０の制御部１７は、ステップＳ３２及びステップＳ３３の処理を、ステップＳ３０の処理の前後で実行してもよい。
【０１０４】
以上述べたように、第１実施形態に係る生体情報測定システム１では、生体情報測定装置１０のタイマ部１２を駆動させ続けることを防ぎつつ、制御装置２０に、生体情報の測定値と測定日時とを関連付けて格納することができる。タイマ部１２を駆動させ続けることを防ぐことで、生体情報測定装置１０の消費電力を低減させることができる。さらに、生体情報測定システム１では、医療従事者が複数の入院患者を巡回している間、タイマ部１２の電源をオン状態に維持することができる。このような処理によって、短時間内にタイマ部１２の電源がオン状態又はオフ状態に頻繁に切替えられることを防ぐことができる。短時間内にタイマ部１２の電源がオン状態又はオフ状態に頻繁に切替えられることを防ぐことで、生体情報測定装置１０の消費電力を低減させることができる。
【０１０５】
さらに、本実施形態によれば、生体情報測定装置１０の消費電力を低減させることで、以下のような、効果を奏することができる。
【０１０６】
例えば、生体情報測定装置１０の消費電力を低減させることで、生体情報測定装置１０に、より小さいサイズの電池１４を搭載させることができる。生体情報測定装置１０により小さいサイズの電池１４を搭載させることで、生体情報測定装置１０のサイズをより小さくすることができる。生体情報測定装置１０が図１に示すような携帯型である場合、生体情報測定装置１０のサイズがより小さくなることで、生体情報測定装置１０は、携帯性に優れたものとなり得る。
【０１０７】
例えば、生体情報測定装置１０の消費電力が低減されることで、生体情報測定装置１０の電池１４の寿命をより延ばすことができる。ここで、例えば生体情報測定装置１０が医療機関で使用される体温計１０Ｂである場合、体温計１０Ｂは、異なる患者の体温を測定する度に、水洗いされたり消毒されたりする。そのため、体温計１０Ｂは、防水のために樹脂等で封止される場合がある。樹脂等で封止される場合、体温計１０Ｂは、電池１４が交換できない場合がある。電池１４の交換ができない場合、電池１４が枯渇すると、体温計１０Ｂは、使用できなくなる。そのような場合であっても、本実施形態によれば、生体情報測定装置１０の電池１４の寿命をより延ばすことができる。そのため、本実施形態によれば、生体情報測定装置１０の寿命を延ばすことができる。このような生体情報測定装置１０は、使用前に長期保管される場合も多い。そのため、生体情報測定装置１０を使用する際に、電池１４の電力を有効に使用できる。
【０１０８】
（第２実施形態）
次に、第２実施形態に係る生体情報測定システム１について説明する。第２実施形態に係る生体情報測定システム１の機能ブロックは、第１実施形態に係る生体情報測定システム１と同様であってよい。従って、以下では、図２を参照しつつ、第１実施形態との相違点を主に説明する。
【０１０９】
制御部１７は、第１実施形態と同様に、遅くとも測定部１１による生体情報の測定を終了するときまでに、タイマ部１２の電源をオン状態にする。
【０１１０】
制御部１７は、生体情報の測定値と併せて、第２計時値及び第３計時値を、通信部１５によって制御装置２０に送信する。第２計時値は、タイマ部１２が計時を開始してから、生体情報の測定が終了するときまでの計時値である。例えば、制御部１７は、生体情報の測定が終了するときに、タイマ部１２から第２計時値を取得する。また、第３計時値は、タイマ部１２が計時を開始してから、制御装置２０と通信するときまでの計時値である。例えば、制御部１７は、通信部１５によって制御装置２０と通信するときに、タイマ部１２から第３計時値を取得する。
【０１１１】
なお、制御部１７は、第３計時値から第２計時値を減算することにより、第１計時値を算出してもよい。この場合、制御部１７は、第１実施形態と同様に、生体情報の測定値と併せて、第１計時値を、通信部１５によって制御装置２０に送信してもよい。
【０１１２】
制御部１７は、タイマ部１２の電源をオン状態にした後、タイマ部１２の計時値が所定時間としての設定時間以上になると、タイマ部１２の電源をオフ状態にする。設定時間は、医療従事者が複数の入院患者を巡回して生体情報を測定する場合において、当該医療従事者が巡回に掛ける時間を想定して設定されてよい。設定時間は、上述の時間閾値と、巡回する入院患者の数とを乗算することにより、算出されてよい。例えば、設定時間は、１時間であってよい。
【０１１３】
制御部１７は、設定時間を、通信部１５によって制御装置２０から、受信してもよい。制御部１７は、制御装置２０から受信した設定時間に基づいて、上述のタイマ部１２の電源をオフ状態にする処理を実行してよい。制御部１７は、制御装置２０に生体情報測定装置１０へ設定時間を送信させるために、制御装置２０に、生体情報測定装置１０に設定時間が設定されていないことを通知してもよい。制御部１７は、生体情報測定装置１０に設定時間が設定されたか否かを示すフラグを、制御装置２０に送信してもよい。当該フラグは、記憶部１６に格納されてよい。当該フラグは、“Ｌ”である場合、生体情報測定装置１０に設定時間が設定されていないことを示すものとする。また、当該フラグは、“Ｈ”である場合、生体情報測定装置１０に設定時間が設定されていることを示すものとする。
【０１１４】
制御部１７は、制御装置２０から設定時間を受信すると、記憶部１６に格納されたフラグを“Ｌ”から“Ｈ”に変更する。また、制御部１７は、タイマ部１２の電源をオン状態からオフ状態にすると、記憶部１６に格納されたフラグを“Ｈ”から“Ｌ”に変更する。このような処理によって、タイマ部１２の電源がオン状態である間、記憶部１６に格納されたフラグは、“Ｈ”になる。
【０１１５】
図８に、本開示の第２実施形態に係る生体情報測定装置１０の処理内容の一例を示す。図８に示す例では、制御部１７は、「２０１７年１２月１９日  １０：００：００」に被検者の生体情報の測定を開始する。
【０１１６】
図８に示す例では、制御部１７は、「２０１７年１２月１９日  １０：００：２０」に、測定部１１による生体情報の測定を終了する。制御部１７は、測定部１１による生体情報の測定を終了するときに、タイマ部１２の電源をオン状態にする。このとき、制御部１７は、タイマ部１２の計時値を「００：００：００」にリセットする。タイマ部１２は、「００：００：００」から計時を開始する。また、制御部１７は、測定部１１による生体情報の測定を終了するときに、タイマ部１２から第２計時値として「００：００：００」を取得する。
【０１１７】
図８に示す例では、制御部１７は、「２０１７年１２月１９日  １０：０３：００」に、制御装置２０と通信する。制御部１７は、制御装置２０と通信するとき、第３計時値として、「００：０２：４０」をタイマ部１２から取得する。制御部１７は、生体情報の測定値と併せて、第２計時値「００：００：００」及び第３計時値「００：０２：４０」を、通信部１５によって制御装置２０に送信する。さらに、制御部１７は、生体情報測定装置１０に設定時間が設定されていないことを示すフラグ（Ｌ）を、制御装置２０に送信する。制御部１７は、フラグ（Ｌ）を制御装置２０に送信することにより、制御装置２０から設定時間を受信する。制御部１７は、制御装置２０から設定時間を受信すると、記憶部１６に格納されたフラグを、“Ｌ”から“Ｈ”に変更する。例えば、設定時間は、１時間であるものとする。
【０１１８】
図８に示す例では、制御部１７は、「２０１７年１２月１９日  １０：０８：００」に、測定部１１による生体情報の測定を再び開始する。その後、制御部１７は、「２０１７年１２月１９日  １０：０８：２０」に、測定部１１による生体情報の測定を終了する。制御部１７は、測定部１１による生体情報の測定を終了するときに、タイマ部１２から第２計時値として「００：０８：００」を取得する。
【０１１９】
図８に示す例では、制御部１７は、「２０１７年１２月１９日  １０：１１：１０」に、制御装置２０と通信する。制御部１７は、制御装置２０と通信するとき、第３計時値として「００：１０：５０」をタイマ部１２から取得する。制御部１７は、生体情報の測定値と併せて、第２計時値「００：０８：００」及び第３計時値「００：１０：５０」を、通信部１５によって制御装置２０に送信する。さらに、制御部１７は、生体情報測定装置１０に設定時間が設定されていることを示すフラグ（Ｈ）を、制御装置２０に送信する。
【０１２０】
図８に示す例では、制御部１７は、「２０１７年１２月１９日  １１：００：２０」に、タイマ部１２の計時値が設定時間（１時間）以上になると、判定する。制御部１７は、タイマ部１２の電源をオフ状態にする。さらに、制御部１７は、記憶部１６に格納されたフラグを“Ｈ”から“Ｌ”に変更する。
【０１２１】
図２に示す制御装置２０では、制御部２５は、第１実施形態と同様に、通信部２３によって生体情報測定装置１０との通信を開始する。
【０１２２】
制御部２５は、第１実施形態と同様に、生体情報測定装置１０と通信するときに、時計部２２から通信日時を取得する。第２実施形態では、制御部２５は、通信部２３によって生体情報測定装置１０から、生体情報の測定値、第２計時値及び第３計時値を受信する。
【０１２３】
制御部２５は、時計部２２から取得した通信日時と、生体情報測定装置１０から受信した第２計時値及び第３計時値とに基づいて、測定日時を算出する。例えば、制御部２５は、第３計時値から第２計時値を減算することにより、第１計時値を算出する。さらに、制御部２５は、通信日時から第１計時値を減算することにより、測定日時を算出する。
【０１２４】
図８に示す例では、制御部２５は、「２０１７年１２月１９日  １０：０３：００」に、生体情報測定装置１０と通信する。このとき、制御部２５は、通信日時として「２０１７年１２月１９日  １０：０３：００」を時計部２２から取得する。また、制御部２５は、通信部２３によって生体情報測定装置１０から、第２計時値「００：００：００」及び第３計時値「００：０２：４０」を取得する。この場合、制御部２５は、第３計時値「００：０２：４０」から第２計時値「００：００：００」を減算することにより、第１計時値「００：０２：４０」を算出する。さらに、制御部２５は、通信日時「２０１７年１２月１９日  １０：０３：００」から第１計時値「００：０２：４０」を減算して、測定日時を「２０１７年１２月１９日  １０：００：２０」と算出する。
【０１２５】
図８に示す例では、制御部２５は、「２０１７年１２月１９日  １０：１１：１０」に生体情報測定装置１０と通信する。このとき、制御部２５は、通信日時として「２０１７年１２月１９日  １０：１１：１０」を時計部２２から取得する。また、制御部２５は、通信部２３によって生体情報測定装置１０から、第２計時値「００：０８：００」及び第３計時値「００：１０：５０」を取得する。この場合、制御部２５は、第３計時値「００：１０：５０」から第２計時値「００：０８：００」を減算することにより、第１計時値「００：０２：５０」を算出する。さらに、制御部２５は、通信日時「２０１７年１２月１９日  １０：１１：１０」から第１計時値「００：０２：５０」を減算することにより、測定日時「２０１７年１２月１９日  １０：０８：２０」を算出する。
【０１２６】
図２に示す制御部２５は、第１実施形態と同様に、生体情報測定装置１０から受信した生体情報の測定値と、算出した測定日時とを関連付けて、記憶部２４に格納する。なお、制御部２５は、生体情報測定装置１０から生体情報の測定値及び第１計時値を受信した場合、第１実施形態と同様にして、測定日時を算出してもよい。
【０１２７】
なお、制御部２５は、通信部２３によって生体情報測定装置１０から、生体情報測定装置１０に設定時間が設定されていないことを示すフラグ（Ｌ）を、受信してもよい。この場合、制御部２５は、通信部２３によって制御装置２０に、設定時間を送信してもよい。設定時間は、操作者等の操作に基づいて、記憶部２６に予め格納されてよい。
【０１２８】
［生体情報測定装置の動作］
図９は、本開示の第２実施形態に係る生体情報測定装置１０の動作を示すフローチャート（その１）である。図１０は、本開示の第２実施形態に係る生体情報測定装置１０の動作を示すフローチャート（その２）である。制御部１７は、入力部１３に対する操作者の入力を検出すると、図９に示す処理を開始する。又は、生体情報測定装置１０が図１に示す体温計１０Ｂである場合、制御部１７は、測定部１１が所定値を超える温度を検出すると、図９に示す処理を開始してもよい。
【０１２９】
制御部１７は、図４に示すステップＳ１０，Ｓ１１，Ｓ１２の処理と同様にして、ステップＳ５０，Ｓ５１，Ｓ５２の処理を実行する。
【０１３０】
制御部１７は、記憶部１６に格納されたフラグを参照して、当該フラグが“Ｈ”であるか否か判定する（ステップＳ５３）。制御部１７は、当該フラグが“Ｈ”であると判定するとき（ステップＳ５３：Ｙｅｓ）、図１０に示すステップＳ６１の処理に進む。一方、制御部１７は、当該フラグが“Ｌ”であると判定するとき（ステップＳ５３：Ｎｏ）、ステップＳ５４の処理に進む。
【０１３１】
ステップＳ５４の処理では、制御部１７は、タイマ部１２の電源をオン状態にする。制御部１７は、タイマ部１２の計時を「００：００：００」にリセットする（ステップＳ５５）。タイマ部１２は、「００：００：００」から計時を開始する。また、ステップＳ５５の処理では、制御部１７は、タイマ部１２から、第２計時値として「００：００：００」を取得する。
【０１３２】
制御部１７は、通信部１５によって制御装置２０と通信しているか否か判定する（ステップＳ５６）。制御部１７は、制御装置２０と通信していると判定するとき（ステップＳ５６：Ｙｅｓ）、ステップＳ５７の処理に進む。一方、制御部１７は、制御装置２０と通信していると判定しないとき（ステップＳ５６：Ｎｏ）、再びステップＳ５６の処理を実行する。
【０１３３】
ステップＳ５７の処理では、制御部１７は、タイマ部１２から第３計時値を取得する。ステップＳ５８の処理では、制御部１７は、生体情報の測定値と併せて、第２計時値、第３計時値及びフラグ（Ｌ）を、通信部１５によって制御装置２０に送信する。
【０１３４】
ステップＳ５９の処理では、制御部１７は、通信部１５によって制御装置２０から、設定時間を受信する。制御部１７は、受信した設定時間を、記憶部１６に格納する。ステップＳ６０の処理では、制御部１７は、記憶部１６に格納されたフラグを“Ｈ”に変更する。
【０１３５】
図１０に示すステップＳ６１の処理では、制御部１７は、タイマ部１２から、第２計時値を取得する。ステップＳ６２の処理では、制御部１７は、通信部１５によって制御装置２０と通信しているか否か判定する。制御部１７は、制御装置２０と通信していると判定するとき（ステップＳ６２：Ｙｅｓ）、ステップＳ６３の処理に進む。一方、制御部１７は、制御装置２０と通信していると判定しないとき（ステップＳ６２：Ｎｏ）、再びステップＳ６２の処理を実行する。
【０１３６】
ステップＳ６３の処理では、制御部１７は、生体情報の測定値と併せて、第２計時値、第３計時値及びフラグ（Ｈ）を、通信部１５によって制御装置２０に送信する。
【０１３７】
なお、制御部１７は、図９に示すステップＳ５８の処理において、第２計時値及び第３計時値の代わりに第１計時値を、通信部１５によって制御装置２０に、送信してもよい。この場合、制御部１７は、第３計時値から第２計時値を減算することにより、第１計時値を算出してもよい。同様に、制御部１７は、図１０に示すステップＳ６４の処理において、第２計時値及び第３計時値の代わりに第１計時値を、通信部１５によって制御装置２０に、送信してもよい。
【０１３８】
図１１は、本開示の第２実施形態に係る生体情報測定装置１０の動作を示すフローチャートである（その３）。制御部１７は、図９に示すステップＳ５５の処理を実行すると、図１１に示す処理を開始する。制御部１７は、図９及び図１０に示す処理と並行して、図１１に示す処理を実行する。
【０１３９】
制御部１７は、タイマ部１２の計時値が設定時間以上であるか否か判定する（ステップＳ６５）。制御部１７は、タイマ部１２の計時値が設定時間以上であると判定するとき（ステップＳ６５：Ｙｅｓ）、ステップＳ６６の処理に進む。一方、制御部１７は、タイマ部１２の計時値が設定時間を下回ると判定するとき（ステップＳ６５：Ｎｏ）、再びステップＳ６５の処理を実行する。
【０１４０】
ステップＳ６６の処理では、制御部１７は、タイマ部１２の電源をオフ状態にする。ステップＳ６７の処理では、制御部１７は、記憶部１６に格納されたフラグを、“Ｌ”に変更する。
【０１４１】
［制御装置の動作］
図１２は、本開示の第２実施形態に係る制御装置２０の動作を示すフローチャートである。例えば、制御部２５は、通信部２３が近距離無線通信に基づく生体情報測定装置１０からの磁界を検出するとき、処理を開始する。
【０１４２】
制御部２５は、図６に示すステップＳ２０，Ｓ２１の処理と同様にして、ステップＳ７０，Ｓ７１の処理を実行する。
【０１４３】
制御部２５は、通信部２３によって生体情報測定装置１０から、生体情報の測定値、第２計時値、第３計時値及びフラグを受信する（ステップＳ７２）。
【０１４４】
制御部２５は、ステップＳ７１の処理で取得した通信日時と、ステップＳ７２の処理で受信した第２計時値及び第３計時値とに基づいて、測定日時を算出する（ステップＳ７３）。制御部２５は、ステップＳ７２の処理で受信した生体情報の測定値と、ステップＳ７３の処理で算出した測定日時とを関連付けて、記憶部２４に格納する（ステップＳ７４）。
【０１４５】
制御部２５は、ステップＳ７２の処理で受信したフラグが“Ｈ”であるか否か判定する（ステップＳ７５）。制御部２５は、フラグが“Ｈ”であると判定するとき（ステップＳ７５：Ｙｅｓ）、処理を終了する。一方、制御部２５は、フラグが“Ｌ”であると判定するとき（ステップＳ７５：Ｎｏ）、ステップＳ７６の処理に進む。
【０１４６】
ステップＳ７６の処理では、制御部２５は、通信部２３によって生体情報測定装置１０に、設定時間を送信する。
【０１４７】
なお、制御部２５は、ステップＳ７２の処理において、第２計時値及び第３計時値の代わりに第１計時値を、通信部２３によって生体情報測定装置１０から、受信してもよい。この場合、制御部２５は、図６に示すステップＳ２３の処理と同様にして、ステップＳ７３の処理を実行してよい。
【０１４８】
制御部２５は、生体情報測定装置１０との通信が終了した後に、ステップＳ７３，Ｓ７４の処理を実行してもよい。この場合、制御部２５は、ステップＳ７６の処理が終了した後に、ステップＳ７３，Ｓ７４の処理を実行してもよい。
【０１４９】
［生体情報測定システムの動作］
図１３は、本開示の第２実施形態に係る生体情報測定システム１の処理手順の一例を示すシーケンス図である（その１）。図１４は、本開示の第２実施形態に係る生体情報測定システム１の処理手順の一例を示すシーケンス図である（その２）。
【０１５０】
生体情報測定装置１０では、図７に示すステップＳ３０，Ｓ３１の処理と同様にして、ステップＳ８０，Ｓ８１の処理を実行する。
【０１５１】
生体情報測定装置１０では、制御部１７は、記憶部１６に格納されたフラグが“Ｈ”であるか否か判定する（ステップＳ８２）。制御部１７は、当該フラグが“Ｈ”であると判定するとき（ステップＳ８２：Ｙｅｓ）、ステップＳ８４Ｂの処理に進む。一方、制御部１７は、当該フラグが“Ｌ”であると判定するとき（ステップＳ８２：Ｎｏ）、ステップＳ８３の処理に進む。
【０１５２】
生体情報測定装置１０では、制御部１７は、ステップＳ８３の処理においてタイマ部１２の電源をオン状態にし、ステップＳ８４Ａの処理に進む。制御部１７は、タイマ部１２の計時を「００：００：００」にリセットする（ステップＳ８４Ａ）。タイマ部１２は、「００：００：００」から計時を開始する。
【０１５３】
ステップＳ８４Ｂの処理では、制御部１７は、タイマ部１２から、第２計時値を取得する。制御部１７は、ステップＳ８４Ｂの処理を実行すると、ステップＳ８５の処理に進む。
【０１５４】
操作者が生体情報測定装置１０を図１に示す通信部２３にかざすことにより、生体情報測定装置１０と制御装置２０は、通信を開始する（ステップＳ８５）。
【０１５５】
生体情報測定装置１０では、制御部１７は、タイマ部１２から第３計時値を取得する（ステップＳ８６Ａ）。制御装置２０では、制御部２５は、時計部２２から通信日時を取得する（ステップＳ８６Ｂ）。
【０１５６】
生体情報測定装置１０では、制御部１７は、生体情報の測定値と併せて、第２計時値、第３計時値及びフラグを、通信部１５によって制御装置２０に送信する（ステップＳ８７Ａ）。制御装置２０では、制御部２５は、通信部２３によって生体情報測定装置１０から、生体情報の測定値、第２計時値、第３計時値及びフラグを、受信する（ステップＳ８７Ｂ）。
【０１５７】
制御装置２０では、制御部２５は、受信したフラグが“Ｈ”であるか否か判定する（ステップＳ８８）。制御部２５は、受信したフラグが“Ｈ”であると判定するとき（ステップＳ８８：Ｙｅｓ）、ステップＳ９１の処理に進む。一方、制御部２５は、受信したフラグが“Ｌ”であると判定するとき（ステップＳ８８：Ｎｏ）、ステップＳ８９Ａの処理に進む。
【０１５８】
制御装置２０では、制御部２５は、設定時間を、通信部２３によって生体情報測定装置１０に送信する（ステップＳ８９Ａ）。生体情報測定装置１０では、制御部１７は、通信部１５によって制御装置２０から、設定時間を受信する（ステップＳ８９Ｂ）。制御部１７は、受信した設定時間を記憶部１６に格納する。
【０１５９】
生体情報測定装置１０では、制御部１７は、記憶部１６に格納されたフラグを“Ｈ”に変更する（ステップＳ９０）。
【０１６０】
生体情報測定装置１０と制御装置２０は、通信を終了する（ステップＳ９１）。
【０１６１】
図１４に示すステップＳ９２の処理において、制御装置２０では、制御部２５は、図１３に示すステップＳ８６Ｂの処理で取得した通信日時と、図１３に示すステップＳ８７Ｂの処理で受信した第２計時値及び第３計時値とに基づいて、測定日時を算出する。制御部２５は、図１３に示すステップＳ８７Ｂの処理で受信した生体情報の測定値と、ステップＳ９２の処理で算出した測定日時とを関連付けて、記憶部２４に格納する（ステップＳ９３）。
【０１６２】
生体情報測定装置１０では、制御部１７は、タイマ部１２の計時値が設定時間以上であると判定する（ステップＳ９４）。制御部１７は、タイマ部１２の電源をオフ状態にする（ステップＳ９５）。制御部１７は、記憶部１６に格納されたフラグを“Ｈ”“からＬ”に変更する（ステップＳ９６）。
【０１６３】
以上述べた第２実施形態に係る生体情報測定システム１は、第１実施形態に係る生体情報測定システム１と同様の効果を奏することができる。
【０１６４】
本開示は、上述した各実施形態で特定された構成に限定されるものではなく、特許請求の範囲に記載した内容を逸脱しない範囲内で種々の変形が可能である。
【０１６５】
例えば、上述の第１実施形態の生体情報測定装置１０では、制御部１７は、タイマ部１２の計時値が時間閾値を経過する前に測定部１１による生体情報の測定を再び開始するとき、再び開始した生体情報の測定を終了するときにタイマ部１２の計時をリセットした。ただし、タイマ部１２の計時をリセットするタイミングは、これに限定されない。例えば、タイマ部１２の計時をリセットするタイミングは、生体情報の測定を再び開始するときであってよい。この場合、制御部１７は、タイマ部１２の計時をリセットするときから生体情報の測定が終了するときまでの第２計時値と、タイマ部１２の計時をリセットするときから制御装置２０と通信するときまでの第３計時値を取得してよい。さらに、制御部１７は、第３計時値から第２計時値を減算することにより、第１計時値を算出してよい。
【０１６６】
例えば、上述の第１実施形態と上述の第２実施形態とは、組み合わされてよい。この例では、生体情報測定装置１０の制御部１７は、タイマ部１２の計時値が時間閾値を経過する前に測定部１１による生体情報の測定を再び開始するとき、タイマ部１２の計時をリセットしなくてもよい。この場合、制御部１７は、第２実施形態にて上述したように、第２計時値及び第３計時値を取得してよい。さらに、制御部１７は、第３計時値から第２計時値を減算することにより、第１計時値を算出してよい。
【０１６７】
例えば、上述の第１実施形態と上述の第２実施形態では、生体情報の測定を開始するときに、或いは、生体情報の測定を終了するときに、タイマ部１２の電源をオンにした。ただし、タイマ部１２の電源をオンにするタイミングは、これらに限定されない。タイマ部１２の電源をオンにするタイミングとして、様々なタイミングが設定させてよい。例えば、生体情報測定装置１０が図１に示す体温計１０Ｂである場合、タイマ部１２の電源をオンにするタイミングは、体温計１０Ｂである生体情報測定装置１０が測定を開始してから所定時間が経過した後であってよい。また、生体情報測定装置１０が図１に示す体温計１０Ｂである場合、タイマ部１２の電源をオンにするタイミングは、体温計１０Ｂである生体情報測定装置１０が検出する温度の時間当たりの変化が所定値以下になるときであってよい。
【０１６８】
例えば、上述の第１実施形態と上述の第２実施形態では、制御装置２０が測定日時を算出した。ただし、制御装置２０以外の装置が測定日時を算出してもよい。例えば、生体情報測定装置１０が測定日時を算出してよい。この例では、生体情報測定装置１０と制御装置２０が通信するときに、制御装置２０は、このときの通信日時を生体情報測定装置１０に送信してよい。さらに、生体情報測定装置１０は、制御装置２０から受信した通信日時に基づいて、測定日時を算出してよい。この後、生体情報測定装置１０は、この算出した測定日時を制御装置２０に送信してよい。
【０１６９】
例えば、上述の第２実施形態では、設定時間を時間範囲とした。ただし、設定時間は、時間範囲に限定されない。例えば、設定時間は、時刻であってよい。この場合、操作者は、制御装置２０の不図示の入力部から巡回終了時刻を入力してよい。制御装置２０では、制御部２５は、不図示の入力部から巡回終了時刻を取得すると、当該巡回終了時刻から通信時刻を減算し、その時間範囲を生体情報測定装置１０に送信してよい。或いは、制御装置２０は、通信時刻と巡回終了時刻を生体情報測定装置１０に送信してよい。この場合、生体情報測定装置１０は、制御装置２０から受信した巡回終了時刻から通信時刻を減算して、時間範囲を算出（取得）してもよい。或いは、制御装置２０は、通信時刻と巡回終了時刻を生体情報測定装置１０に送信してよい。この場合、生体情報測定装置１０は、通信時刻から巡回終了時刻までの間、時刻そのものをカウントしてよい。
【産業上の利用可能性】
【０１７０】
本開示は、生体情報測定装置及び生体情報測定システムに関する。
【符号の説明】
【０１７１】
１  生体情報測定システム
１０  生体情報測定装置
１０Ａ  パルスオキシメータ
１０Ｂ  体温計
１０Ｂ−１  キャップ
１０Ｂ−２  ディスプレイ
１０Ｂ−３  電源ボタン
１０Ｃ  血糖計
１０Ｄ  活動量計
１１  測定部
１２  タイマ部
１３  入力部
１４  電池
１５  通信部（第１通信部）
１６  記憶部
１７  制御部（第１制御部）
２０  制御装置（外部機器）
２１  表示部
２２  時計部
２３  通信部（第２通信部）
２４  記憶部
２５  制御部（第２制御部）
【図１】
2019170718.tif 000003
【図２】
2019170718.tif 000004
【図３】
2019170718.tif 000005
【図４】
2019170718.tif 000006
【図５】
2019170718.tif 000007
【図６】
2019170718.tif 000008
【図７】
2019170718.tif 000009
【図８】
2019170718.tif 000010
【図９】
2019170718.tif 000011
【図１０】
2019170718.tif 000012
【図１１】
2019170718.tif 000013
【図１２】
2019170718.tif 000014
【図１３】
2019170718.tif 000015
【図１４】
2019170718.tif 000016